【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
金属錯体含有溶液をカラムに装填し、ここで、該金属錯体はスーパーオキシドジスムターゼ擬似化合物、ＭＲＩ造影向上剤、カタラーゼ擬似剤、およびペルオキシ亜硝酸分解触媒よりなる群から選ばれ、
カラムから該金属錯体を移動相で溶離し、ここで、該移動相は溶媒系中で配位アニオンの過剰の塩を含んでなり、
金属錯体を検出器で検出する、
ことを含んでなる高速液体クロマトグラフ分析方法。
【請求項２】
金属錯体含有溶液をカラムに装填し、ここで、該金属錯体はマンガン錯体および鉄錯体よりなる群から選ばれ、
カラムから該金属錯体を移動相で溶離し、ここで、該移動相は溶媒系中で配位アニオンの過剰の塩を含んでなり、
金属錯体を検出器で検出する、
ことを含んでなる高速液体クロマトグラフ分析方法。
【請求項３】
金属錯体を、配位アニオンの過剰の塩と水溶液中で化合させ、
金属錯体含有溶液をカラムに装填し、
カラムから該金属錯体を移動相で溶離し、ここで、該移動相は溶媒系中で配位アニオンの過剰の塩を含んでなり、
金属錯体を検出器で検出する、
ことを含んでなる金属錯体分析用の高速液体クロマトグラフ分析方法。
【請求項４】
金属錯体が、スーパーオキシドジスムターゼ擬似化合物を含む請求項１、２又は３に記載の方法。
【請求項５】
金属錯体が、同じ金属錯体の立体異性体を含む請求項１、２又は３に記載の方法。
【請求項６】
金属錯体が、同じ金属錯体のジアステレオマーを含む請求項１、２又は３に記載の方法。
【請求項７】
金属錯体が、同じ金属錯体の鏡像体を含む請求項１、２又は３に記載の方法。
【請求項８】
金属錯体が、ＦｅＩＩＩ（salen）錯体、ＦｅＩＩ（１，４，７，１０，１３−ペンタアザシクロペンタデカン）誘導体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる請求項１、２又は３に記載の方法。
【請求項９】
少なくとも１つの金属錯体が、下記構造：
【化１】
2004522971.tif 000001
を有する請求項１、２又は３に記載の方法。
【請求項１０】
金属錯体が、以下の構造：
【化２】
2004522971.tif 000002
を有する金属錯体の立体異性体を含む請求項１、２又は３に記載の方法。
【請求項１１】
金属錯体が、ＭｎＩＩ（１，４，７，１０，１３−ペンタアザシクロペンタデカン）錯体のジアステレオマーを含む請求項１、２又は３に記載の方法。
【請求項１２】
金属錯体が、ＭｎＩＩ（１，４，７，１０，１３−ペンタアザシクロペンタデカン）錯体の鏡像体を含む請求項１、２又は３に記載の方法。
【請求項１３】
鏡像体が、以下の構造：
【化３】
2004522971.tif 000003
および
【化４】
2004522971.tif 000004
から選ばれる請求項１、２又は３に記載の方法。
【請求項１４】
配位アニオンが、クロリドアニオン、チオシアナートアニオン、ステアレートアニオン、アセテートアニオン、トリフルオロアセテートアニオン、カルボキシレートアニオン、ホルメートアニオンまたはアジドアニオン、又はそれらの任意の組み合せを含む請求項１、２又は３に記載の方法。
【請求項１５】
塩が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウムまたはアジ化リチウム、又はそれらの任意の組み合せを含む請求項１、２又は３に記載の方法。
【請求項１６】
溶媒系が、アセトニトリル、ジオキサン、エタノール、メタノール、イソプロパノール、テトラヒドロフラン、または水、及びそれらの任意の組み合せよりなる群から選ばれる溶剤を含む請求項１、２又は３に記載の方法。
【請求項１７】
移動相が、約０．０１Ｍ〜約０．１３Ｍのテトラブチルアンモニウムクロリドを含有する水中アセトニトリルを５〜１５％含む請求項１、２又は３に記載の方法。
【請求項１８】
移動相が、約０．４Ｍ〜約０．６Ｍの塩化ナトリウムを含有する水中アセトニトリルを５〜１０％含む請求項１、２又は３に記載の方法。
【請求項１９】
移動相が、約０．１Ｍ〜約２．５Ｍのチオシアン酸アンモニウムを含有する水中メタノールを１〜５％含む請求項１、２又は３に記載の方法。
【請求項２０】
移動相が、約０．０５Ｍ〜約０．３Ｍのテトラブチルアンモニウムクロリドを含有する水中メタノールを１〜５％含む請求項１、２又は３に記載の方法。
【請求項２１】
移動相が、約０．２Ｍ〜約０．３Ｍのチオシアン酸アンモニウムを含有する水中メタノールを１〜５％含む請求項１、２又は３に記載の方法。
【請求項２２】
カラムが、Ｃ１変性カラム、Ｃ３変性カラム、Ｃ４変性カラム、オクチル（Ｃ８）変性カラム、オクタデシル（Ｃ１８）変性カラム、Ｃ１８ポリマーカラム、フェニルカラム、およびアミノ−シアノカラムよりなる群から選ばれる請求項１、２又は３に記載の方法。
【請求項２３】
検出器が、ＵＶ検出器を含む請求項１、２又は３に記載の方法。
【請求項２４】
下記構造：
【化５】
2004522971.tif 000005
を有する金属錯体。
【請求項２５】
下記構造：
【化６】
2004522971.tif 000006
を有する金属錯体。
【請求項２６】
下記構造：
【化７】
2004522971.tif 000007
を有する金属錯体。
【手続補正２】
【補正対象書類名】明細書
【補正対象項目名】００６４
【補正方法】変更
【補正の内容】
【００６４】
クロマトグラフ分析条件
キラルＨＰＬＣ実験に用いたカラムは、Chiralcel OD-RH カラム、4.6mm × 150 mm, 5 μｍ 粒度（Chiral Technologies）であった。分離は、単純定組成フローを用いて０．５ｍＬ／分の速度で行った。検出波長は２６５ｎｍ、各試料の注入体積は２０μＬであった。
Ｍ４０４０３およびＭ４０４１９のビス（チオシアナート）光学異性体のキラルＨＰＬＣプロファイルを図１３に示す。Ｍ４０４３−（ＳＣＮ）２およびＭ４０４１９（ＳＣＮ）２光学異性体のキラルＨＰＬＣプロファイルを別々にプロファイルＡおよびＢに示す。プロファイルから明らかなように、全Ｒ Ｍ４０４０３−（ＳＣＮ）２光学異性体は保持時間（ｔＲ）が６．８分であるが、その全Ｓ Ｍ４０４１９−（ＳＣＮ）２鏡像は保持時間が６．５分である。次いで、光学異性体を同時注入実験によって分析し、それらが本当にこれらのクロマトグラフ分析条件で分解したことを確認した。同時注入の光学異性体について得られたＨＰＬＣプロファイルをプロファイルＣに示す。光学異性体は約0.3分で分離され、その結果、当初の結果を確認した。
本発明の好ましい態様を以下に示す。
１．  金属錯体含有溶液をカラムに装填し、ここで、該金属錯体はスーパーオキシドジスムターゼ擬似化合物、ＭＲＩ造影向上剤、カタラーゼ擬似剤、およびペルオキシ亜硝酸分解触媒よりなる群から選ばれ、
カラムから該金属錯体を移動相で溶離し、ここで、該移動相は溶媒系中で配位アニオンの過剰の塩を含んでなり、
金属錯体を検出器で検出する、
ことを含んでなる高速液体クロマトグラフ分析方法。
２．  金属錯体が、スーパーオキシドジスムターゼ擬似化合物を含む上記第１に記載の方法。
３．  金属錯体が、別の金属錯体を含む上記第１に記載の方法。
４．  金属錯体が、同じ金属錯体の立体異性体を含む上記第１に記載の方法。
５．  金属錯体が、同じ金属錯体のジアステレオマーを含む上記第１に記載の方法。
６．  金属錯体が、同じ金属錯体の鏡像体を含む上記第１に記載の方法。
７．  金属錯体が、反応ストリームの生成物を含む上記第１に記載の方法。
８．  金属錯体が、ＦｅＩＩＩ（salen）錯体、ＦｅＩＩ（１，４，７，１０，１３−ペンタアザシクロペンタデカン）誘導体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第１に記載の方法。
９．  金属錯体が、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第１に記載の方法。
１０．  金属錯体が、ＭｎＩＩ（１，４，７，１０，１３−ペンタアザシクロペンタデカン）錯体を含む上記第１に記載の方法。
１１．  金属錯体が、ＭｎＩＩ（１，４，７，１０，１３−ペンタアザシクロペンタデカン）錯体の立体異性体を含む上記第１に記載の方法。
１２．  金属錯体が、以下の構造：
【化１】
2004522971.tif 000008
を有する金属錯体の立体異性体を含む上記第１に記載の方法。
１３．  金属錯体が、ＭｎＩＩ（１，４，７，１０，１３−ペンタアザシクロペンタデカン）錯体のジアステレオマーを含む上記第１に記載の方法。
１４．  金属錯体が、ＭｎＩＩ（１，４，７，１０，１３−ペンタアザシクロペンタデカン）錯体の鏡像体を含む上記第１に記載の方法。
１５．  鏡像体が、以下の構造：
【化２】
2004522971.tif 000009
および
【化３】
2004522971.tif 000010
から選ばれる上記第１４に記載の方法。
１６．  配位アニオンが、クロリドアニオン、チオシアナートアニオン、ステアレートアニオン、アセテートアニオン、トリフルオロアセテートアニオン、カルボキシレートアニオン、ホルメートアニオンまたはアジドアニオンを含む上記第１に記載の方法。
１７．  塩が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウムまたはアジ化リチウムを含む上記第１に記載の方法。
１８．  塩が、塩化ナトリウム、塩化リチウムまたはテトラブチルアンモニウムクロリドを含む上記第１に記載の方法。
１９．  塩が、チオシアン酸アンモニウム、チオシアン酸ナトリウムまたはチオシアン酸カリウムを含む上記第１に記載の方法。
２０．  塩が、塩混合物を含む上記第１に記載の方法。
２１．  塩混合物が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウム、またはアジ化リチウムの２つ以上を含む上記第２０に記載の方法。
２２．  溶媒系が、一溶媒を含む上記第１に記載の方法。
２３．  溶媒が、アセトニトリル、ジオキサン、エタノール、メタノール、イソプロパノール、テトラヒドロフラン、または水を含む上記第２２に記載の方法。
２４．  溶媒系が、溶媒混合物を含む上記第１に記載の方法。
２５．  溶媒混合物が、アセトニトリル、ジオキサン、エタノール、メタノール、イソプロパノール、テトラヒドロフラン、および水の中の２以上の混合物を含む上記第２４に記載の方法。
２６．  溶媒が、アセトニトリルおよび水を含む上記第２５に記載の方法。
２７．  溶媒が、メタノールおよび水を含む上記第２５に記載の方法。
２８．  塩が、移動相中に約０．００４Ｍ〜約６Ｍの濃度で存在する上記第１に記載の方法。
２９．  塩が、移動相中に約０．１Ｍ〜約１Ｍの濃度で存在する上記第１に記載の方法。
３０．  塩が、移動相中に約０．１５Ｍ〜約０．６Ｍの濃度で存在する上記第１に記載の方法。
３１．  塩化ナトリウムが、移動相中に約０．１Ｍ〜約１Ｍの濃度で存在する上記第１８に記載の方法。
３２．  塩化ナトリウムが、移動相中に約０．３Ｍ〜約０．７Ｍの濃度で存在する上記第１８に記載の方法。
３３．  塩化ナトリウムが、移動相中に約０．４Ｍ〜約０．６Ｍの濃度で存在する上記第１８に記載の方法。
３４．  テトラブチルアンモニウムクロリドが、移動相中に約０．００５Ｍ〜約０．１５Ｍの濃度で存在する上記第１８に記載の方法。
３５．  テトラブチルアンモニウムクロリドが、移動相中に約０．０１Ｍ〜約０．１３Ｍの濃度で存在する上記第１８に記載の方法。
３６．  テトラブチルアンモニウムクロリドが、移動相中に約０．０５Ｍ〜０．１２５Ｍの濃度で存在する上記第１８に記載の方法。
３７．  移動相が、約０．１Ｍ〜約０．７Ｍの塩を含有する水中アセトニトリルを含む上記第１に記載の方法。
３８．  移動相が、約０．１５Ｍ〜約０．６Ｍの塩を含有する水中メタノールを含む上記第１に記載の方法。
３９．  移動相が、約０．３Ｍ〜約０．７Ｍの塩化ナトリウムを含有するアセトニトリルを含む上記第１に記載の方法。
４０．  移動相が、約０．０１Ｍ〜約０．１３Ｍのテトラブチルアンモニウムクロリドを含有する水中アセトニトリルを５〜１５％含む上記第１に記載の方法。
４１．  移動相が、約０．０１Ｍ〜約０．１３Ｍのテトラブチルアンモニウムクロリドおよび約０．３Ｍ〜約０．７Ｍの塩化リチウムを含有する水中アセトニトリルを５〜１５％含む上記第１に記載の方法。
４２．  移動相が、約０．４Ｍ〜約０．６Ｍの塩化ナトリウムを含有する水中アセトニトリルを５〜１０％含む上記第１に記載の方法。
４３．  移動相が、約０．０５Ｍ〜約０．１２５Ｍのテトラブチルアンモニウムクロリドを含有する水中アセトニトリルを５〜１０％含む上記第１に記載の方法。
４４．  移動相が、約０．０５Ｍ〜約０．１２５Ｍのテトラブチルアンモニウムクロリドおよび約０．４Ｍ〜約０．６Ｍの塩化リチウムを含有する水中アセトニトリルを５〜１０％含む上記第１に記載の方法。
４５．  移動相が、約０．１Ｍ〜約２．５Ｍのチオシアン酸アンモニウムを含有する水中メタノールを１〜５％含む上記第１に記載の方法。
４６．  移動相が、約０．０５Ｍ〜約０．３Ｍのテトラブチルアンモニウムクロリドを含有する水中メタノールを１〜５％含む上記第１に記載の方法。
４７．  移動相が、約０．２Ｍ〜約０．３Ｍのチオシアン酸アンモニウムを含有する水中メタノールを１〜５％含む上記第１に記載の方法。
４８．  移動相が、約０．０５Ｍ〜０．１５Ｍのテトラブチルアンモニウムクロリドを含有する水中メタノールを１〜５％含む上記第１に記載の方法。
４９．  カラムが、Ｃ１変性カラム、Ｃ３変性カラム、Ｃ４変性カラム、オクチル（Ｃ８）変性カラム、オクタデシル（Ｃ１８）変性カラム、Ｃ１８ポリマーカラム、フェニルカラム、およびアミノ−シアノカラムよりなる群から選ばれる上記第１に記載の方法。
５０．  カラムが、オクタデシルカラム、フェニルカラム、およびアミノ−シアノカラムよりなる群から選ばれる上記第１に記載の方法。
５１．  カラムが、オクタデシルカラムを含む上記第１に記載の方法。
５２．  オクタデシルカラムが、YMC ODS-AQ S5 カラム（登録商標）、Vydac column（登録商標）、またはSymmetry Shield RP18 カラム（登録商標）を含む上記第５１に記載の方法。
５３．  カラムが、キラルカラムを含む上記第１に記載の方法。
５４．  キラルカラムが、セルロースカラムまたはPirkleカラムを含む上記第５３に記載の方法。
５５．  セルロースカラムが、Chiralcel-OD-RHカラム（登録商標）を含む上記第５４に記載の方法。
５６．  検出器が、ＵＶ検出器を含む上記第１に記載の方法。
５７．  金属錯体含有溶液をカラムに装填し、ここで、該金属錯体はスーパーオキシドジスムターゼ擬似化合物、ＭＲＩ造影向上剤、カタラーゼ擬似剤、およびペルオキシ亜硝酸分解触媒よりなる群から選ばれ、
カラムから該金属錯体を移動相で溶離し、ここで、該移動相は溶媒系中で配位アニオンの過剰の塩を含んでなり、移動相での溶離により配位子として配位アニオンを含有する金属錯体の実質的な形成が促進され、
金属錯体を検出器で検出する、
ことを含んでなる高速液体クロマトグラフ分析方法。
５８．  金属錯体が、スーパーオキシドジスムターゼ擬似化合物を含む上記第５７に記載の方法。
５９．  金属錯体が、ＦｅＩＩＩ（salen）錯体、ＦｅＩＩ（１，４，７，１０，１３−ペンタアザシクロペンタデカン）誘導体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第５７に記載の方法。
６０．  金属錯体が、ＭｎＩＩ（１，４，７，１０，１３−ペンタアザシクロペンタデカン）錯体を含む上記第５７に記載の方法。
６１．  金属錯体が、ＭｎＩＩ（１，４，７，１０，１３−ペンタアザシクロペンタデカン）錯体の立体異性体を含む上記第５７に記載の方法。
６２．  金属錯体が、下記構造：
【化４】
2004522971.tif 000011
を有する金属錯体の立体異性体を含む上記第５７に記載の方法。
６３．  塩が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウム、またはアジ化リチウムを含む上記第５７に記載の方法。
６４．  塩が、塩化ナトリウム、塩化リチウムまたはテトラブチルアンモニウムクロリド、チオシアン酸アンモニウムまたはチオシアン酸カリウムを含む上記第５７に記載の方法。
６５．  塩が、移動相中に約０．１Ｍ〜約１Ｍの濃度で存在する上記第５７に記載の方法。
６６．  塩が、移動相中に約０．１５Ｍ〜約０．６Ｍの濃度で存在する上記第５７に記載の方法。
６７．  カラムが、キラルカラムを含む上記第５７に記載の方法。
６８．  金属錯体含有溶液をカラムに装填し、ここで、該金属錯体はマンガン錯体および鉄錯体よりなる群から選ばれ、
カラムから該金属錯体を移動相で溶離し、ここで、該移動相は溶媒系中で配位アニオンの過剰の塩を含んでなり、
金属錯体を検出器で検出する、
ことを含んでなる高速液体クロマトグラフ分析方法。
６９．  金属錯体が、スーパーオキシドジスムターゼ擬似化合物、ＭＲＩ造影向上剤、カタラーゼ擬似剤、およびペルオキシ亜硝酸分解触媒よりなる群から選ばれる上記第６８に記載の方法。
７０．  金属錯体が、スーパーオキシドジスムターゼ擬似化合物を含む上記第６８に記載の方法。
７１．  金属錯体が、ＦｅＩＩＩ（salen）錯体、ＦｅＩＩ（１，４，７，１０，１３−ペンタアザシクロペンタデカン）誘導体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第６８に記載の方法。
７２．  金属錯体が、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第６８に記載の方法。
７３．  金属錯体が、ＭｎＩＩ（１，４，７，１０，１３−ペンタアザシクロペンタデカン）錯体を含む上記第６８に記載の方法。
７４．  金属錯体が、ＭｎＩＩ（１，４，７，１０，１３−ペンタアザシクロペンタデカン）錯体の立体異性体を含む上記第６８に記載の方法。
７５．  金属錯体が、下記構造：
【化５】
2004522971.tif 000012
を有する金属錯体の立体異性体を含む上記第６８に記載の方法。
７６．  塩が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウム、またはアジ化リチウムを含む上記第６８に記載の方法。
７７．  塩が、塩化ナトリウム、塩化リチウム、テトラブチルアンモニウムクロリド、チオシアン酸ナトリウムまたはチオシアン酸カリウムを含む上記第６８に記載の方法。
７８．  塩が、移動相中に約０．１Ｍ〜約１．０Ｍの濃度で存在する上記第６８に記載の方法。
７９．  塩が、移動相中に約０．１５Ｍ〜約０．６Ｍの濃度で存在する上記第６８に記載の方法。
８０．  金属錯体を、配位アニオンの過剰の塩と水溶液中で化合させ、
金属錯体含有溶液をカラムに装填し、
カラムから該金属錯体を移動相で溶離し、ここで、該移動相は溶媒系中で配位アニオンの過剰の塩を含んでなり、
金属錯体を検出器で検出する、
ことを含んでなる金属錯体分析用の高速液体クロマトグラフ分析方法。
８１．  塩が、塩化ナトリウム、塩化リチウム、塩化カリウム、塩化アンモニウム、テトラブチルアンモニウムクロリド、チオシアン酸ナトリウム、チオシアン酸カリウム、チオシアン酸アンモニウム、チオシアン酸リチウム、酢酸カリウム、酢酸ナトリウム、酢酸アンモニウム、アンモニウムトリフルオロアセテート、酢酸リチウム、ギ酸カリウム、ギ酸ナトリウム、ギ酸アンモニウム、ギ酸リチウム、シアン酸ナトリウム、シアン酸カリウム、シアン酸アンモニウム、カルボン酸カリウム、カルボン酸ナトリウム、ステアリン酸リチウム、ステアリン酸ナトリウム、アジ化ナトリウム、アジ化カリウム、またはアジ化リチウムを含む上記第８０に記載の方法。
８２．  塩が、チオシアン酸ナトリウム、チオシアン酸カリウム、チオシアン酸アンモニウム、またはチオシアン酸リチウムを含む上記第８０に記載の方法。
８３．  金属錯体が、スーパーオキシドジスムターゼ擬似化合物、カタラーゼ擬似剤、ペルオキシ亜硝酸分解触媒、およびＭＲＩ造影剤よりなる群から選ばれる上記第８０に記載の方法。
８４．  金属錯体が、スーパーオキシドジスムターゼ擬似化合物を含む上記第８０に記載の方法。
８５．  金属錯体が、ＦｅＩＩＩ（salen）錯体、ＦｅＩＩ（１，４，７，１０，１３−ペンタアザシクロペンタデカン）誘導体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第８０に記載の方法。
８６．  金属錯体が、ＭｎＩＩ（１，４，７，１０，１３−ペンタアザシクロペンタデカン）錯体を含む上記第８０に記載の方法。
８７．  金属錯体含有溶液をカラムに装填し、
カラムから該金属錯体を移動相で溶離し、ここで、該移動相は溶媒系中で配位アニオンの過剰の塩を含んでなり、移動相での溶離により配位子として配位アニオンを含有する金属錯体の実質的な形成が促進され、
金属錯体を検出器で検出する、
ことを含んでなる高速液体クロマトグラフ分析方法。
８８．  金属錯体が、スーパーオキシドジスムターゼ擬似化合物、ＭＲＩ造影向上剤、カタラーゼ擬似剤、およびペルオキシ亜硝酸分解触媒よりなる群から選ばれる上記第８７に記載の方法。
８９．  金属錯体が、ＦｅＩＩＩ（salen）錯体、ＦｅＩＩ（１，４，７，１０，１３−ペンタアザシクロペンタデカン）錯体、ＦｅＩＩＩ（ポルフィリナート）錯体、ＭｎＩＩＩ（ポルフィリナート）錯体、ＭｎＩＩＩ（salen）錯体、およびＭｎＩＩ（１，４，７，１０，１３−ペンタアザシクロペンタデカン）錯体よりなる群から選ばれる上記第８７に記載の方法。
９０．  金属錯体が、下記構造：
【化６】
2004522971.tif 000013
を有する上記第８７に記載の方法。